(57)【要約】  【課題】  遊技者がメダル受け皿内のメダルを貯留容器側に移し替える作業をスムーズに行うことができる遊技機を提供する。  【解決手段】  払い出された遊技媒体を受けて貯留する受け皿２５を遊技機本体１の前側下部に備えた遊技機で、受け皿２５の前部に、遊技媒体貯留容器４１の鍔部４２が前側から係合可能な係合凹部３４を設けたものである。【選択図】  図３
2006263196.tif 000002
【特許請求の範囲】
【請求項１】
払い出された遊技媒体を受けて貯留する受け皿（２５）を遊技機本体（１）の前側下部に備えた遊技機において、前記受け皿（２５）の前部に、遊技媒体貯留容器（４１）の鍔部（４２）が前側から係合可能な係合凹部（３４）（３４′）を設けたことを特徴とする遊技機。
【請求項２】
前記係合凹部（３４）は、前記受け皿（２５）の上縁部（３３ａ）に沿ってその前縁側に形成され、その係合凹部（３４）の前記上縁部（３３ａ）からの下向きの深さ（Ｄａ）は前記鍔部（４２）の上下方向厚さ（Ｔ）と略同じかそれよりも大きく形成されていることを特徴とする請求項１に記載の遊技機。
【請求項３】
前記係合凹部（３４′）は、前記受け皿（２５）の前面側に左右方向の溝状に形成されていることを特徴とする請求項１に記載の遊技機。
【請求項４】
前記受け皿（２５）の前側に、前記遊技媒体貯留容器（４１）を載置可能な載置台（５１）を設けたことを特徴とする請求項１〜３の何れかに記載の遊技機。
【請求項５】
前記載置台（５１）は、前記受け皿（２５）の前側に張り出す使用状態と、前記受け皿（２５）側に待避する非使用状態とに切り換え可能に構成されていることを特徴とする請求項４に記載の遊技機。
【請求項６】
前記載置台（５１）の受け皿（２５）に対する高さ位置を変更可能に構成したことを特徴とする請求項４又は５に記載の遊技機。
【請求項７】
前記係合凹部（３４）（３４′）の前縁側に、断面逆Ｕ字状に形成された前記鍔部（４２）を係合可能な上向きの突起部（４４）を設けたことを特徴とする請求項１〜６の何れかに記載の遊技機。
【発明の詳細な説明】
【技術分野】
【０００１】
本発明は、払い出された遊技媒体を受けて貯留する受け皿を遊技機本体の前側下部に備えた遊技機に関するものである。
【背景技術】
【０００２】
例えばメダルを遊技媒体として用いるスロットマシン等の遊技機では、遊技機本体の前側下部にメダル受け皿が例えば一体に設けられており、遊技で獲得したメダル等はこのメダル受け皿に払い出されるようになっている。
【０００３】
例えばこのメダル受け皿が満杯になった場合には、遊技者はそのメダル受け皿内のメダルを、遊技ホールに備え付けられた通称「ドル箱」と呼ばれるプラスチック製の貯留容器に移し替えている。
【０００４】
この貯留容器は、一般に上側が開放した角形の箱状で、その上縁部外側には鍔部が一体に形成されており、遊技者は通常、この鍔部をメダル受け皿の前縁側に引っ掛けた状態で、メダル受け皿内のメダルを貯留容器側に掻き込むようにして移し替えている（例えば特許文献１参照）。
【特許文献１】特開２００３−２６５８０５号公報
【発明の開示】
【発明が解決しようとする課題】
【０００５】
従来の遊技機では、貯留容器の鍔部をメダル受け皿の前縁側に引っ掛けたとき、例えばその貯留容器の鍔部がメダル受け皿の前縁側に対して上側に出っ張ったり、或いは特許文献１の図３に示すように鍔部がメダル受け皿の内面よりも内側に出っ張った状態となり、遊技者がメダルを移し替える際にメダルがその出っ張り部分に引っ掛かって移し替え作業がやりづらいという問題があった。
【０００６】
本発明は、このような従来の問題点に鑑み、遊技者がメダル受け皿内のメダルを貯留容器側に移し替える作業をスムーズに行うことができる遊技機を提供することを目的とする。
【課題を解決するための手段】
【０００７】
本発明は、払い出された遊技媒体を受けて貯留する受け皿２５を遊技機本体１の前側下部に備えた遊技機において、前記受け皿２５の前部に、遊技媒体貯留容器４１の鍔部４２が前側から係合可能な係合凹部３４，３４′を設けたものである。
【発明の効果】
【０００８】
本発明によれば、遊技媒体貯留容器４１の鍔部４２を受け皿２５の前縁側に引っ掛ける際にその鍔部４２を係合凹部３４，３４′に係合させることで、受け皿２５の前縁側に対する鍔部４２の上側或いは内側への出っ張りをなくすことができ、遊技者がメダル受け皿内のメダルを貯留容器側に移し替える作業をスムーズに行うことが可能となる。
【発明を実施するための最良の形態】
【０００９】
以下、本発明の実施形態を図面に基づいて詳述する。図１〜図５は、本発明をスロットマシンとして具現化した第１の実施形態を例示している。図１及び図２において、１は遊技機本体で、前側が開放した矩形箱状の本体ケース２と、この本体ケース２の前側に配置された矩形状の前面パネル３とを備えている。
【００１０】
本体ケース２は、図２に示すように、その上下方向略中央部分に内部空間を上下に仕切るように中間支持板４が略水平に配置されており、その中間支持板４上に、遊技図柄表示リール５ａ〜５ｃを左右方向に備えた表示リールユニット６が配置され、中間支持板４の下側に、メダル払い出し装置７、メダル補助ケース８、電源ユニット９等が配置されている。
【００１１】
メダル払い出し装置７は、払い出し用のメダル（遊技媒体）を貯留するメダルホッパー１０、このメダルホッパー１０内のメダルを払い出すメダル払い出し手段１１、メダルホッパー１０から溢れたメダル等の余剰メダルをメダル補助ケース８側に排出する余剰メダル排出口１２等を備えている。
【００１２】
メダル払い出し手段１１は、メダルホッパー１０の下部側に設けられ、モータ等の駆動手段１１ａによりメダルホッパー１０内の回転体１１ｂを駆動して、メダル払い出し口１１ｃから前側にメダルを払い出すようになっている。
【００１３】
前面パネル３は、左右一端側に配置されたヒンジを介して本体ケース２に対して開閉自在に装着されており、その上部には、本体ケース２内の遊技図柄表示リール５ａ〜５ｃに対応する３つの表示窓１３ａ〜１３ｃが左右方向に配置されている。
【００１４】
また、例えば表示窓１３ａ〜１３ｃの下側には、クレジット枚数を表示するクレジット表示手段１４と獲得メダル数を表示する獲得メダル表示手段１５とが左右に配置され、更にその下側に横長状に設けられた操作パネル部１６には、メダルを投入可能なメダル投入口１７、このメダル投入口１７内に詰まったメダルを返却させるための返却ボタン１８の他、メダル投入口１７へのメダル投入に代えてクレジットからメダルをベットするための１ＢＥＴボタン１９及びマックスＢＥＴボタン２０、獲得したメダルをクレジットするか払い出すかの設定を切り換えるためのＣ／Ｐボタン２１、遊技図柄表示リール５ａ〜５ｃの回転を開始させるためのスタートレバー２２、回転中の遊技図柄表示リール５ａ〜５ｃを夫々個別に停止させるためのストップボタン２３ａ〜２３ｃ等が設けられている。
【００１５】
前面パネル３の下端部前側には、メダル払い出し手段１１のメダル払い出し口１１ｃから払い出されたメダル、或いはメダル投入口１７側からの返却メダルを前側に排出するための排出口２４が設けられ、その前側に、排出口２４から排出されたメダルを受けるメダル受け皿（受け皿）２５が横長状に配置されている。また、メダル受け皿２５の左右方向一端側には灰皿２６が配置されている。
【００１６】
メダル受け皿２５は、前面パネル３の前面側から前側に略水平に突出する底壁３１と、前面パネル３の前面側から底壁３１の左右両縁部に沿って前側に突出する一対の側壁３２，３２と、それら左右の側壁３２，３２の前縁側を底壁３１の前縁側に沿って左右に連結する前壁３３とで構成されている。
【００１７】
前壁３３には、その上縁部３３ａに沿ってその前縁側に係合凹部３４が形成されている。この係合凹部３４は、遊技者がメダル受け皿２５内のメダルを遊技ホール備え付けのメダル貯留容器（遊技媒体貯留容器）４１に移し替えるべく、メダル貯留容器４１の鍔部４２を前壁３３の上縁部３３ａに引っ掛けて安定させる際にその鍔部４２が前側から係合する部分であり、図３，図４等に示すように、前壁３３の上縁部３３ａの前縁側に沿って、上縁部３３ａから下向きに所定深さＤａ、前壁３３の前面側から後ろ向きに所定深さＤｂ、上縁部３３ａに沿って左右方向に所定長さＬａとなるように形成されている。
【００１８】
ここで、本実施形態で用いるメダル貯留容器４１は、例えば図５に示すように、上側が開放した角形の箱状で、その上縁部外側には鍔部４２が一体に形成されており、一対の短辺には、鍔部４２よりも更に外側に張り出すように取っ手４３が設けられている。
【００１９】
鍔部４２は、容器上縁部４１ａから外側に延設された張り出し部４２ａと、その張り出し部４２ａの外縁側から下向きに延設された囲い部４２ｂとで断面逆Ｕ字状に形成されている。なお、鍔部４２は、その上下方向厚さがＴ、長辺に沿った長さがＷであるとする。
【００２０】
また、メダル受け皿２５側の係合凹部３４は、メダル貯留容器４１の各寸法Ｔ，Ｗに対して、Ｄａ≧Ｔ，Ｌａ≧Ｗの各条件を満たす寸法に形成されている。前壁３３の前面側から後ろ向きの深さＤｂは任意であるが、前壁３３の上縁部３３ａの前後方向幅Ｘよりは小さく形成されている。即ち、係合凹部３４は、前壁３３の上縁部３３ａの前縁側に沿って、その上縁部３３ａの前後方向の一部分にのみ形成されている。
【００２１】
なお、係合凹部３４のＤａ，Ｌａの各寸法については、各遊技ホールで一般的に使用されている主なメダル貯留容器４１の寸法Ｔ，Ｗ等に基づいて、それらのうちの最も大きな寸法に合わせて決定することが望ましい。
【００２２】
以上のようなスロットマシンにおいて、遊技者がメダル受け皿２５内のメダルをメダル貯留容器４１に移し替える際には、メダル貯留容器４１の後側の長辺に沿った鍔部４２をメダル受け皿２５の前側の係合凹部３４に前側から引っ掛けた状態でメダル貯留容器４１を保持し、手でメダル受け皿２５内のメダルを前壁３３を手前に乗り越えさせるようにしてメダル貯留容器４１側に掻き込めばよい。その際、鍔部４２は係合凹部３４内に収容されており、鍔部４２が前壁３３の上縁部３３ａより上側に突出することはないため、メダル移し替えの際にメダルが鍔部４２に引っ掛かることはなく、極めてスムーズに移し替え作業を行うことができる。
【００２３】
図６は本発明の第２の実施形態を例示し、係合凹部３４の前縁側に、メダル貯留容器４１の鍔部４２を係合可能な上向きの突起部４４を設けた例を示している。
【００２４】
この突起部４４は、係合凹部３４の長手方向（左右方向）に長く形成してもよいし、係合凹部３４の長手方向に沿って間欠的に複数設けてもよい。
【００２５】
このような突起部４４を設けることで、遊技者がメダル受け皿２５内のメダルをメダル貯留容器４１に移し替える際に、メダル貯留容器４１を手で支えることなくメダル受け皿２５側に固定することができるため、メダル移し替え作業をより簡単に行うことができる。
【００２６】
図７及び図８は本発明の第３の実施形態を例示し、メダル受け皿２５の前面側に、左右方向所定長さの溝状に形成した係合凹部３４′を設けた例を示している。
【００２７】
本実施形態では、図７及び図８に示すように、メダル受け皿２５の前壁３３の前面側に、後ろ向きに凹入する溝状の係合凹部３４′が、左右方向に水平に形成されている。この係合凹部３４′は、前壁３３の前面側から後ろ向きの深さＤｃ、上下方向の幅Ｄｄ、左右方向長さＬｂに形成されており、これらの各寸法は、メダル貯留容器４１の各寸法Ｔ，Ｗに対して、Ｄｄ≧Ｔ，Ｌｂ≧Ｗの各条件を満たしている。
【００２８】
以上のようなスロットマシンにおいても、遊技者がメダル受け皿２５内のメダルをメダル貯留容器４１に移し替える際には、メダル貯留容器４１の後側の鍔部４２をメダル受け皿２５の前側の係合凹部３４′に前側から引っ掛けた状態でメダル貯留容器４１を保持し、手でメダル受け皿２５内のメダルを前壁３３を乗り越えさせるようにしてメダル貯留容器４１側に掻き込めばよい。その際、鍔部４２は係合凹部３４′内に収容されており、鍔部４２が前壁３３の上縁部３３ａの上側等に突出することはないため、メダル移し替えの際にメダルが鍔部４２に引っ掛かることはなく、極めてスムーズに移し替え作業を行うことができる。
【００２９】
図９は本発明の第４の実施形態を例示し、メダル受け皿２５の前側に、メダル貯留容器４１を載置可能な載置台５１を設けた例を示している。
【００３０】
載置台５１は、例えばメダル受け皿２５の前壁３３の前面側下部に左右方向の回転軸５２廻りに回転可能に枢支されており、メダル受け皿２５の前側に略水平に張り出す使用状態（図９に実線で示す）と、メダル受け皿２５側に待避する非使用状態（図９に二点差線で示す）とに切り換え可能となっている。
【００３１】
なお、メダル受け皿２５の前壁３３には載置台５１に対応する収容部５３が形成されており、載置台５１は非使用状態のときにこの収容部５３内に収容されるようになっている。
【００３２】
また、メダル受け皿２５の前側には、例えば第１の実施形態と同様に形成された係合凹部３４が設けられている。この係合凹部３４は、載置台５１上にメダル貯留容器４１を載置したとき、そのメダル貯留容器４１の鍔部４２が係合凹部３４に前側から係合可能な高さに形成されている。
【００３３】
以上のように構成すれば、メダルをメダル貯留容器４１側に移し替える際に、メダル貯留容器４１を片方の手で支える必要がなく、メダル移し替え作業を更に容易に行うことができる。
【００３４】
なお、本実施形態では、メダル受け皿２５に第１の実施形態と同様の係合凹部３４を設けたが、第２の実施形態と同様の係合凹部３４′を設けてもよい。
【００３５】
図１０は本発明の第５の実施形態を例示し、第４の実施形態と同様に、メダル受け皿２５の前側に載置台５１を設けると共に、その載置台５１の収納方法を変更した例を示している。
【００３６】
本実施形態のスロットマシンでは、メダル受け皿２５の下面側に、例えば前後方向に配置された左右一対の案内レール６１を設け、載置台５１はその案内レール６１により略水平で且つ前後方向移動可能に支持されており、メダル受け皿２５の前側に略水平に張り出す使用状態（図１０に実線で示す）と、メダル受け皿２５の下側に待避する非使用状態  （図１０に二点差線で示す）とに切り換え可能となっている。
【００３７】
以上のように、載置台５１を前後方向にスライド可能に設けても、第４の実施形態と同様、メダルをメダル貯留容器４１側に移し替える際に、メダル貯留容器４１を片方の手で支える必要がなく、メダル移し替え作業を更に容易に行うことができる。
【００３８】
図１１は本発明の第６の実施形態を例示し、第５の実施形態を一部変更して、載置台５１の上下方向位置を変更可能とした例を示している。
【００３９】
本実施形態のスロットマシンでは、載置台５１を支持する案内レール６１を、メダル受け皿２５側に上下方向に形成されたガイド孔６２に沿ってスライド自在に構成すると共に、案内レール６１をそのガイド孔６２上の任意位置で締結手段６３により固定可能としている。
【００４０】
これにより、メダル貯留容器４１の高さ寸法に応じて、そのメダル貯留容器４１の鍔部４２が係合凹部３４に前側から係合した状態でそのメダル貯留容器４１を下側から支持できる位置に載置台５１の高さ位置を調整することができ、種々のメダル貯留容器４１に対応可能である。
【００４１】
なお、第４の実施形態についても、例えばメダル受け皿２５に対する回転軸５２の高さ位置を変更可能とすれば同様の効果を期待できる。
【００４２】
以上、本発明の実施形態について詳述したが、この実施形態に限定されるものではなく、本発明の趣旨を逸脱しない範囲で種々の変更が可能である。例えば、メダル貯留容器４１は、外向きに張り出すように鍔部４２が設けられているものであれば適応可能であり、その鍔部４２は必ずしも断面逆Ｕ字状である必要はない。
【００４３】
載置台５１を設ける場合、その形状や開閉構造等は任意である。また、載置台５１をメダル受け皿２５の前側に固定的に設けてもよい。
【００４４】
遊技媒体はメダルに限られるものではなく、受け皿２５に払い出されるものであれば遊技球等でもよい。
【００４５】
メダル受け皿２５と、その前側に着脱自在に装着される係合凹部形成部材とにより係合凹部を形成するようにしてもよい。例えば、図１２に示すように、断面台形状等で横長状の係合凹部形成部材７１を、メダル受け皿２５の前壁３３の前側で且つその上縁部３３ａよりも下がった位置に着脱自在に装着し、その係合凹部形成部材７１の上面側とメダル受け皿２５の前壁３３とで係合凹部３４を形成するようにしてもよい。
【００４６】
また、メダル受け皿２５の前側に着脱自在に装着される係合凹部形成部材に係合凹部を形成してもよい。例えば、図１３に示すように、断面略コの字型で横長状に形成されることにより係合凹部３４′を備えた係合凹部形成部材７１′を、メダル受け皿２５の前壁３３の前側に、例えばその上縁側が前壁３３の上縁部３３ａと略同じ高さとなるように着脱自在に装着してもよい。
【００４７】
なお、係合凹部形成部材７１，７１′は、係合凹部形成部材７１，７１′側又はメダル受け皿２５側に係合凸部７２を、メダル受け皿２５側又は係合凹部形成部材７１，７１′側に係合凹部７３を設け、両者を互いに係合させることによりメダル受け皿２５側に装着するようにしてもよいし、固定ネジ７４等によりメダル受け皿２５側に固定してもよい。
【００４８】
また、実施形態では、本発明をスロットマシンに適用した例を示したが、メダル、遊技球等の遊技媒体を受ける受け皿２５を遊技機本体１の前側に備えたものであればパチンコ機等の他の各種遊技機においても同様に実施可能であることは言うまでもない。
【図面の簡単な説明】
【００４９】
【図１】本発明の第１の実施形態を示すスロットマシンの全体斜視図である。
【図２】本発明の第１の実施形態を示すスロットマシンの本体ケースの正面図である。
【図３】本発明の第１の実施形態を示すスロットマシンのメダル受け皿の前側にメダル貯留容器を係合させた状態の要部側面断面図である。
【図４】本発明の第１の実施形態を示すスロットマシンのメダル受け皿の前側にメダル貯留容器を係合させた状態の要部平面図である。
【図５】メダル貯留容器の一例を示す平面図及び側面断面図である。
【図６】本発明の第２の実施形態を示すスロットマシンのメダル受け皿の前側にメダル貯留容器を係合させた状態の要部側面断面図である。
【図７】本発明の第３の実施形態を示すスロットマシンのメダル受け皿の前側にメダル貯留容器を係合させた状態の要部側面断面図である。
【図８】本発明の第３の実施形態を示すスロットマシンのメダル受け皿の前側にメダル貯留容器を係合させた状態の要部平面断面図である。
【図９】本発明の第４の実施形態を示すスロットマシンのメダル受け皿の前側にメダル貯留容器を係合させた状態の要部側面断面図である。
【図１０】本発明の第５の実施形態を示すスロットマシンのメダル受け皿の前側にメダル貯留容器を係合させた状態の要部側面断面図である。
【図１１】本発明の第６の実施形態を示すスロットマシンのメダル受け皿の前側にメダル貯留容器を係合させた状態の要部側面断面図である。
【図１２】本発明の変更例を示すスロットマシンのメダル受け皿の前側にメダル貯留容器を係合させた状態の要部側面断面図である。
【図１３】本発明の変更例を示すスロットマシンのメダル受け皿の前側にメダル貯留容器を係合させた状態の要部側面断面図である。
【符号の説明】
【００５０】
１    遊技機本体
２５    メダル受け皿（受け皿）
３３ａ  上縁部
３４    係合凹部
３４′  係合凹部
４１    メダル貯留容器（遊技媒体貯留容器）
４２    鍔部
４４    突起部
５１    載置台
【図１】
2006263196.tif 000003
【図２】
2006263196.tif 000004
【図３】
2006263196.tif 000005
【図４】
2006263196.tif 000006
【図５】
2006263196.tif 000007
【図６】
2006263196.tif 000008
【図７】
2006263196.tif 000009
【図８】
2006263196.tif 000010
【図９】
2006263196.tif 000011
【図１０】
2006263196.tif 000012
【図１１】
2006263196.tif 000013
【図１２】
2006263196.tif 000014
【図１３】
2006263196.tif 000015